(57)【特許請求の範囲】
【請求項１】
鉛直面に緊張して配設かつ保持された全体形状が長方形の旗または同様の可撓性パネル（１）用の支持装置であって、該パネルは、前記鉛直面の上方および下方縁部に沿って、ブラケットを形成して前記縁部を固定かつ堅くする能力のある２本のほぼ水平なロッド（４と５それぞれ）に固定され、該ロッドは、鉛直ポールまたは同様の要素（２）によって支承され、鉛直ポールの近くに、該鉛直ポールを支承するための要素（６）を備え、該要素は前記ポール上の一時的固定手段（１５、１６）に結合され、前記各ロッドとその支承要素とが、前記ロッドに及ぼされる横方向のトルクに対抗して前記ロッドを前記パネルの鉛直面に常に復帰させる能力を有するばね（７）に接続されており、該ばねは、該ロッドと該支承要素との間に配置されていることを特徴とする装置。
【請求項２】
ポール（２）を支承するための水平ロッド（４、５）に属する各要素（６）が、剛性の連続した金属ワイヤでＶ字形の弓状部（８）を有するように形成され、前記弓状部は、前記ポールの形状に沿って並列にポールの側面で支承される２本の分岐管（９、１０）によって前記弓状部の開口端側に延設され、前記分岐管の１方が、水平ロッドに接続された戻りばね（７）に接続するための要素（１１）を含み、Ｖ字形の弓状部を二分する面がパネル（１）の鉛直面と一致する請求項１に記載の装置。
【請求項３】
各水平ロッド（４、５）が、パネル（１）の対応する縁部を緊張保持するように、戻りばね（７）に接続された延在部（１２）の反対側端部に、前記延在部と共に大きな鈍角を形成する端部部分（１３）を有する請求項１又は２のいずれかに記載の装置。
【請求項４】
支承要素（６）を一時的に固定するための手段（１５、１６）が、調整可能な帯状体から成り、該各帯状体が、該帯状体を鉛直ポール（２）周囲の帯状体自体の上に閉じるための留め金（１９）を有する請求項１から３のいずれかに記載の装置。
【請求項５】
各帯状体を閉じるための留め金（１９）が、所定位置に段階的にロックすることができる漸進的付勢機構を有する請求項４に記載の装置。
【請求項６】
各調整可能な帯状体が、Ｖ字形の弓状部（８）の２本の分岐管（９、１０）に、これらの分岐管の２つの端部の近くで、それぞれ接続することができる２つの独立したストランドを有する請求項４又は５のいずれかに記載の装置。
【請求項７】
前記パネルの上方および下方縁部にそれぞれ固定された２本の水平ロッド（４、５）の戻りばね（７）が渦巻きばねであり、２本のロッドに結合された支承要素（６）のＶ字形の弓状部（８）は、パネル（１）の高さのほぼ中央に延在する水平面に対して、互いに対称的に配設されている請求項１から６のいずれかに記載の装置。
【発明の詳細な説明】
【０００１】
本発明は、しわを形成することなく、旗または同様の可撓性パネルが常に平坦にとどまるように、前記旗または同様の可撓性パネルを付勢することによって、また特にパネルが緊張し、したがってかなり緊張した平坦面を有するときに、空気圧に耐える機能を同時に旗に与えることによって、このパネルがいつもその鉛直面に戻される、広告または装飾目的のために前記旗または同様の可撓性パネルを鉛直面に支持するための装置に関する。
【０００２】
この種類の旗、フラッグまたは可撓性のパネルのための支持装置の多数の実施形態が既知であり、これらの装置は、例えば縫ったヘリを上方縁部に沿って形成し、また前記ブラケットを前記ヘリに係合させ、あるいは代わりにアイレットまたは同様の固定装置によって上方縁部を前記ブラケットに取り付けることによって、鉛直ポールまたは類似物が、旗またはフラッグの上方縁部が取り付けられた少なくとも１つの水平なブラケットを支承するようにさせる方法から構成される。米国特許Ａ−５，３８８，７９４は、ポールによって支承される２本のロッドを含むフラッグ用の装置を開示し、各ロッドには、フラッグの運動に反応して、マウントの昇降の結果として生じる圧縮荷重を蓄積するために、マウントと一時的固定の手段とばねとが取り付けられる。
【０００３】
かくして、パネルはブラケットから吊設され、また風がなければ、特にその反対側の下方縁部に適切な重みがあれば鉛直面に延在する。またパネルのはためき運動を制限するために、可撓性パネルの下に、復帰ラインをこの下方縁部に固定し、ポール上の他の場所に取り付けることが可能である。代替方法として、ヘリを上方縁部と同様にこの下方縁部に形成することも可能であり、またパネルを堅くしてパネルがその面を維持するのをより容易にする当て木を前記下方縁部の中に滑り込ませることができる。
【０００４】
しかし、上記の解決方法では、風速が増すと、この可撓性のパネルを打つ空気の推力がこのパネルに及ぼされ、若干激しい乱流を形成し、またいずれにしろパネルを押圧し、またパネルを共に追いやり、パネルそれ自体がねじれるか、あるいはポールの周囲に巻きつくように作用する力を創出し、かくしてもはやパネルの表面を見ることは不可能であり、パネルが、書き物または種々の掲示を支承する広告パネルであるならば、これに伴って不都合が生じる。
【０００５】
本発明の主題は、パネルをほぼ鉛直に、またその上方および下方縁部の間に適切に緊張して保持するのを可能にすることによってだけでなく、パネルに及ぼされる押圧力に対抗してパネルをその初期位置に戻す復帰手段を用いて風の影響に耐えるのを可能にすることによって上記短所を軽減する、上に簡単に述べた種類の可撓性のパネルを支持するための装置である。
【０００６】
この目的のために、鉛直面に緊張して配設かつ保持された全体形状が長方形の旗または同様の可撓性パネル用の支持装置であって、該パネルは、前記鉛直面の上方および下方縁部に沿って、ブラケットを形成して前記縁部を固定かつ堅くする能力のある２本のほぼ水平なロッドに固定され、該ロッドは、鉛直ポールまたは同様の要素によって支承され、鉛直ポールの近くに、該鉛直ポールを支承するための要素を備え、該要素は前記ポール上の一時的固定手段に結合され、前記各ロッドとその支承要素とが、前記ロッドに及ぼされる横方向のトルクに対抗して前記ロッドを前記パネルの鉛直面に常に復帰させる能力を有するばねに接続されていることを特徴とする。
【０００７】
本発明による支持体の他の特徴によれば、ポールを支承するための水平ロッドに属する各要素は、剛性の連続した金属ワイヤでＶ字形の弓状部を有するように形成され、前記弓状部は、前記ポールの形状に沿って並列にポールの側面で支承される２本の分岐管によって前記弓状部の開口端側に延設され、前記分岐管の１方が、水平ロッドに接続された戻りばねに接続するための要素を含み、Ｖ字形の弓状部を二分する面がパネルの鉛直面と一致する。
【０００８】
他の特徴によれば、各水平ロッドは、パネルの対応する縁部を緊張保持するように、戻りばねに接続された前記水平ロッドの延在部の反対側端部に、前記延在部と共に大きな鈍角を形成する端部部分を有している。
【０００９】
好適な実施形態では、支承要素を一時的に固定するための手段は調整可能な帯状体から成り、各帯状体は、この帯状体を鉛直ポール周囲の帯状体自体の上に閉じるための留め金を有している。好適に、各帯状体を閉じるための留め金は、所定位置に段階的にロックすることができる漸進的付勢機構を有している。
【００１０】
また、好ましい実施形態では、各調整可能な帯状体は、Ｖ字形の弓状部の２本の分岐管に、これらの分岐管の２つの端部の近くで、それぞれ接続することができる２つの独立したストランドを有している。
【００１１】
さらに、もう１つの特徴によれば、パネルの上方および下方縁部にそれぞれ固定された２本の水平ロッドの戻りばねは渦巻きばねであり、２本のロッドに結合された支承要素のＶ字形の弓状部は、パネルの高さのほぼ中央に延在する水平面に対して、互いに対称的に配設されている。
【００１２】
本発明に従って得られる支持装置の他の特徴は、添付図面を参考にした以下の説明によってさらに明白になるであろうが、本発明はこれらの実施形態に限定されるものではない。
【００１３】
図１は、鉛直ポールを用いて可撓性のパネルを支持するための当該装置の概略立面図である。
図２及び図３は、当該装置を拡大して示す正面図及び平面図である。
図４は、ばねと支承弓状部を有する装置の、また鉛直ポール上に支承弓状部を固定する手段であるロッドの一方の部分斜視図である。
図１では、参照番号１は概略的に旗またはフラッグ、より一般的には広告または装飾目的のために使用できる可撓性のパネルを示し、予想される使用のために必要な機械的強度を可撓性のパネルに与える適切な補強材を有する適切な織物材料または他の任意の同様の材料からも前記可撓性のパネルを造ることが可能である。
【００１４】
このパネル１は長方形の全体形状を有し、また装置３を使用してポール２によって鉛直面に支持されるよう設計され、この装置は、装置の上方および下方の縁部それぞれに沿って、ブラケットを形成する２本の金属ロッド４と５を実質的に含み、これらのロッドはほぼ水平に延在され、その各々は支承要素６によって鉛直ポール２に固定されるように設計され、各ロッドは渦巻きばね７によって対応する支承要素に接続され、装置３の構造と用具は図２乃至図４に、より明確に示されている。
【００１５】
水平なロッドは、本実施例ではロッド５の一方の構造をより詳しく例示している図２と図３から詳細に理解できるように、２本のロッドが厳密に同一であることが強調され、これらのロッドは、剛性の金属ワイヤから成り、ロッドと支承要素６と戻りばね７とが単一ピースとして形成されている。
【００１６】
支承要素６は、例えば、Ｖ字形状の弓状部８の形態で示され、その開口端側はそれぞれ２本のロッド９と１０によって延長され、特に、これら２つのロッドは、並列にその形状に沿って鉛直ポール２の外表面を押圧する。これらのロッドの一方、本実施例ではロッド９は、戻りばね７と接続する要素１１を形成するために９０°に曲げられており、このためロッドはポール２に対して横方向にわずかにずれている。
【００１７】
かくして、戻りばね７は支承要素６をロッド５に接続し、このロッドは端部部分１３から延長される水平延在部１２を含み、この端部部分はわずかにそらされ、また前記延在部と共に大きな角度を形成する。
【００１８】
ロッド４と５は任意の適切な手段によって可撓性のパネル１の上方および下方縁部に固定される。好ましくは、このパネルは、前記縁部に縫ったまたは他の方法で形成したへりを有し、このヘリの中に対応するロッドを滑り込ますことができ、戻りばね７と反対側の前記ロッドの端部は、パネルをロッド上に保持してロッドからのパネルの滑り落ちと意図しない離脱とを防止するために、端部ボール１４を保持するように好適にねじ留めすることが可能である。
【００１９】
パネル１を支持するための装置のロッド４と５は、図４により詳しく例示したように、２つの調整可能な帯状体１５と１６を好適に含む組立体によってもポール２に固定される。
【００２０】
前記帯状体の各々はアイレット１８によって接続され、かつ補強バンド１７で好適に固定され、特に前記帯状体がポールを囲んで、留め金１９によって、好ましくは徐々に締められ、発生した応力が段階的に解除される種類の留め金によって、前記帯状体がポールに対して締め付けられる前に、前記帯状体の各々を前記分岐管の端部の近くに配設できるように、前記アイレットは支承要素６の分岐管９、１０上でのバンドの滑りを可能にする。
【００２１】
ちなみに図１から分かるように、かくして支持装置３の２本のロッド４と５は、ポール上に形成された各ロッドのＶ字形の弓状部８をほぼ二分する鉛直面上に、パネル１がロッド間に適切な張りで保持されるように、鉛直ポール２に固定され、取り付けられる。さらに、２本のロッドの支承要素６と戻りばね７は、パネルに鉛直な中央面の各サイドに対称的に配設され、この結果、これらのロッドの端部部分１３は、前記ロッドの端部部分が延在部１２と共に形成する角度のため、パネル１の上方および下方縁部の端部に、その鉛直面にパネルを完全に平坦に維持する増加引張力を及ぼす。
【００２２】
風がない場合、パネルによって支承される書き物または種々の看板を、かくして外側から完全に読み取ることが可能である。
【００２３】
この風速が増加し、またパネルに推力を及ぼすとき、ロッドに作用するねじりがばね７の中に蓄積され、弓状部８は帯状体１５と１６によってポールに対して常に押圧され続ける。次に、パネルのねじれ、また特にポールの周囲に巻きつく危険なしに、パネルが常にその鉛直面に戻されるように、これらのばねはパネルに復帰トルクを及ぼす。
【００２４】
かくして、これによって、風が感知できる激しい気象環境においてさえも、広告または他のパネルの最適な使用を可能にする簡単で有効かつ廉価な設計の装置が製造される。
【００２５】
もちろん、本発明は、添付図面を参考にして上述した実施形態に決して限定されず、反対に、そのすべての代替形態を網羅することは言うまでもない。
【図面の簡単な説明】
【図１】  図１は、鉛直ポールを用いて可撓性のパネルを支持するための当該装置の概略立面図である。
【図２】  図２は、当該装置を拡大して示す正面図である。
【図３】  図３は、当該装置を拡大して示す平面図である。
【図４】  図４は、ばねと支承弓状部を有する装置の、また鉛直ポール上に支承弓状部を固定する手段であるロッドの一方の部分斜視図である。
【図１】
0004353349.tif 000002
【図２】
0004353349.tif 000003
【図３】
0004353349.tif 000004
【図４】
0004353349.tif 000005